(57)【要約】【目的】芯材を支柱の中心部に位置せしめることが可能な成形方法並びに成形金型を提供すること。【構成】請求項１に記載の発明は、一対の成形型内に芯材をインサートし、当該成形型間で形成されるキャビティ内に溶融樹脂を供給することで芯材の周囲に外周部を所望形状に被覆成形する支柱の成形方法において、成形型に複数の凸部を設け、当該凸部で芯材の軸心と外周部の軸心が一致する位置に芯材を支持するようにした。請求項２に記載の発明は、芯材をインサートして、当該芯材の外周囲に熱可塑性樹脂を成形するためのインサート成形用金型であって、一対の成形型に複数の凸部を設け、当該凸部で芯材の軸心と外周部の軸心が一致する位置に芯材を支持するようにしたインサート成形用金型である。【選択図】図１
2017035861.tif 000002
【特許請求の範囲】
【請求項１】
一対の成形型内に芯材をインサートし、当該成形型間で形成されるキャビティ内に溶融樹脂を供給することで芯材の周囲に外周部を所望形状に被覆成形する支柱の成形方法において、
成形型（２０，２１）に複数の凸部（２２）を設け、当該凸部（２２）で芯材（１０）の軸心と外周部（４０）の軸心が一致する位置に芯材（１０）を支持するようにした支柱の成形方法。
【請求項２】
芯材をインサートして、当該芯材の外周囲に熱可塑性樹脂を成形するためのインサート成形用金型であって、
成形型（２０，２１）に複数の凸部（２２）を設け、当該凸部（２２）で芯材（１０）の軸心と外周部（４０）の軸心が一致する位置に芯材（１０）を支持するようにしたインサート成形用金型。
【発明の詳細な説明】
【技術分野】
【０００１】
本発明は、繊維強化プラスチック等で形成した芯材を樹脂で被覆し、支柱を形成するための成形方法並びに成形金型に関する。  
【背景技術】
【０００２】
有害動物類の畑等への侵入防止のために電気柵が設置されることがある。この電気柵は、支柱で支えられた裸電線に高電圧のパルス電圧を印加し、これらの裸電線に触れた動物に電気ショックによる痛みを感じさせることによって退散させ、侵入を防ぐものである。
【０００３】
かかる電気柵に用いられる樹脂製の支柱として、図７や図８に示されるような支柱１内部に繊維強化プラスチック等で形成した芯材２を装備し、当該芯材２の周囲を熱可塑性樹脂３で被覆するものがある。芯材で補強していない支柱は、軽量というメリットを有するものの強度に問題があり、地中への打ち込み時に湾曲してしまう恐れがあり、かかる不都合を回避するために芯材が装備されるものである。
【０００４】
特許文献１には、棒状の支柱の内部中心に補強用芯材をインサート成形した、合成樹脂製支柱が開示されている。
【先行技術文献】
【特許文献】
【０００５】
【特許文献１】特開２０１４−１５８４４５号公報
【発明の概要】
【発明が解決しようとする課題】
【０００６】
上述の芯材で補強した樹脂製支柱を金型を用いて製造すれば、安価、且つ、容易に生産可能であるが、芯材を支柱の中心に位置せしめた状態で周囲を樹脂で被覆する形状で成形することは困難であった。
【０００７】
ここに、芯材が偏心した状態で支柱内に装備されると、肉厚な樹脂部は強度が弱くなるという欠点が生じる。
【０００８】
本発明は、かかる技術的課題を解決し、芯材を支柱の中心部に位置せしめることが可能な成形方法並びに成形金型を提供することを目的とするものである。
【課題を解決するための手段】
【０００９】
上記の目的を達成する本考案の構成は以下の通りである。
【００１０】
（１) 請求項１に記載の発明は、一対の成形型内に芯材をインサートし、当該成形型間で形成されるキャビティ内に溶融樹脂を供給することで芯材の周囲に外周部を所望形状に被覆成形する支柱の成形方法において、成形型に複数の凸部を設け、当該凸部で芯材の軸心と外周部の軸心が一致する位置に芯材を支持するようにした支柱の成形方法を提案するものである。
【００１１】
（２) 請求項２に記載の発明は、芯材をインサートして、当該芯材の外周囲に熱可塑性樹脂を成形するためのインサート成形用金型であって、一対の成形型に複数の凸部を設け、当該凸部で芯材の軸心と外周部の軸心が一致する位置に芯材を支持するようにしたインサート成形用金型を提案するものである。
【発明の効果】
【００１２】
上記のように構成される本発明が、如何に作用して課題を解決するかを図面を参照しながら概説する。
【００１３】
図３は一対の成形型２０，２１内に芯材１０を装備した状態を示すものであり、凸部２２で芯材１０を支持するものである。この際、図５において仮想点Ａで示される芯材１０の軸心と、同じく仮想点Ａ’で示される外周部４０の軸心が一致するように、凸部２２で芯材１０を支持してある。なお、図５においてはキャビティー３０に溶湯を射出して外周部４０が成形されるものである。
【００１４】
かように、本発明によれば成形型に設けた凸部で芯材と外周部の軸心が一致する位置関係の下インサート成形することで、芯材をその中心部に位置せしめて補強した樹脂製支柱を提供することが可能となるのである。
【図面の簡単な説明】
【００１５】
【図１】成形型内に芯材を装備した状態の説明図
【図２】部分拡大図
【図３】部分拡大図
【図４】図２におけるＣ−Ｃ線拡大断面図
【図５】図３におけるＤ−Ｄ線拡大断面図
【図６】支柱の正面図及び部分拡大図
【図７】従来の支柱の正面図
【図８】Ｅ−Ｅ線拡大断面図
【発明を実施するための形態】
【００１６】
以下、好ましい発明の一実施形態につき、図面を参照しながら概説する。なお、本発明の実施の形態は、下記の実施形態に何ら限定されることはなく、本発明の技術的範囲に属
する限り種々の形態を採りうる。 
【００１７】
図１は一対の成形型２０，２１内に芯材を１０を装備した状態を示す説明図である。成形型２０，２１を型締めすることにより、両者間にキャビティー３０が形成される射出成形用金型を使用して成るものであり、このキャビティー３０に加熱溶融させた樹脂である溶湯を射出し、芯材１０を被覆し、冷却後成形体を取り出すものある。なお、キャビティー３０の形状は支柱の外観、すなわち先端が先細りした円筒形状を呈するものである。また、芯材１０は繊維強化プラスチック等で形成した強度に富む円筒形状の棒体である。
【００１８】
図２は、図１におけるＡ部を拡大したものである。成形型２０にはゲート２３が設けられている。このゲート１３は押出機のランナーに通じるものであり、溶湯をキャビティー３０内に導入するためのものである。
【００１９】
図３は、図１におけるＢ部を拡大したものである。成形型２０，２１それぞれに凸部２２設けられており、この凸部２３により芯材３０を支持するものである。芯材３０の軸心及びキャビティー３０内射出され形成される外周部の軸心は、仮想線Ｆにおいて一致するものである。
【００２０】
なお、図１に示されるように、凸部２２を設ける位置は、芯材３０がずれないように上下に二箇所設けてある。よって凸部２２で直接に支持されていない部位においても、図４に示されるように、仮想点Ａ，Ａ’で示される軸心がずれないものである。
【００２１】
また、図５に示されるように、凸部２２・・は成形型２０，２１内周面を連続的に周回する形状のものではなく、キャビティー３０内を溶湯が通過可能とするために、各個個別に形成してある。
【００２２】
図６は本発明にかかる成形方法で成形された支柱５０を示すものである。キャビティー３０内に射出された熱可塑性樹脂で外周部４０が形成されるものである。凸部２２に対応した部位は、拡大図に示されるように外周部４０が存在せず、芯材１０が露出するものである。また、上記熱可塑性樹脂としてはポリエチレン、ポリ塩化ビニル、ＡＢＳ樹脂その他の熱可塑性樹脂を使用可能である。
【符号の説明】
【００２３】
１０・・芯材
２０，２１・・成形型      ２２・・凸部
３０・・キャビティー
４０・・外周部
【図１】
2017035861.tif 000003
【図２】
2017035861.tif 000004
【図３】
2017035861.tif 000005
【図４】
2017035861.tif 000006
【図５】
2017035861.tif 000007
【図６】
2017035861.tif 000008
【図７】
2017035861.tif 000009
【図８】
2017035861.tif 000010
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
一対の成形型内に芯材をインサートし、当該成形型間で形成されるキャビティ内に溶融樹脂を供給することで芯材の周囲に外周部を所望形状に被覆成形する支柱の成形方法において、
成形型（２０，２１）に複数の凸部（２２）を設け、当該凸部（２２）で芯材（１０）の軸心と外周部（４０）の軸心が一致する位置に芯材（１０）を外周面から支持するようにした支柱の成形方法。
【請求項２】
芯材をインサートして、当該芯材の外周囲に熱可塑性樹脂を成形するためのインサート成形用金型であって、
成形型（２０，２１）に複数の凸部（２２）を設け、当該凸部（２２）で芯材（１０）の軸心と外周部（４０）の軸心が一致する位置に芯材（１０）を外周面から支持するようにしたインサート成形用金型。
【手続補正書】
【提出日】平成28年1月18日(2016.1.18)
【手続補正１】
【補正対象書類名】明細書
【補正対象項目名】００１０
【補正方法】変更
【補正の内容】
【００１０】
（１) 請求項１に記載の発明は、一対の成形型内に芯材をインサートし、当該成形型間で形成されるキャビティ内に溶融樹脂を供給することで芯材の周囲に外周部を所望形状に被覆成形する支柱の成形方法において、成形型に複数の凸部を設け、当該凸部で芯材の軸心と外周部の軸心が一致する位置に芯材を外周面から支持するようにした支柱の成形方法を提案するものである。
【手続補正２】
【補正対象書類名】明細書
【補正対象項目名】００１１
【補正方法】変更
【補正の内容】
【００１１】
（２) 請求項２に記載の発明は、芯材をインサートして、当該芯材の外周囲に熱可塑性樹脂を成形するためのインサート成形用金型であって、一対の成形型に複数の凸部を設け、当該凸部で芯材の軸心と外周部の軸心が一致する位置に芯材を外周面から支持するようにしたインサート成形用金型を提案するものである。
【手続補正３】
【補正対象書類名】明細書
【補正対象項目名】００１８
【補正方法】変更
【補正の内容】
【００１８】
図２は、図１におけるＡ部を拡大したものである。成形型２０にはゲート２３が設けられている。このゲート２３は押出機のランナーに通じるものであり、溶湯をキャビティー３０内に導入するためのものである。
【手続補正４】
【補正対象書類名】明細書
【補正対象項目名】００１９
【補正方法】変更
【補正の内容】
【００１９】
図３は、図１におけるＢ部を拡大したものである。成形型２０，２１それぞれに凸部２２設けられており、この凸部２２により芯材３０を支持するものである。芯材３０の軸心及びキャビティー３０内射出され形成される外周部の軸心は、仮想線Ｆにおいて一致するものである。